(57)【特許請求の範囲】
【請求項１】
記録媒体をケース内に収納して成るカートリッジを所定の装着部に装着するためのローディング機構であって、
挿入されるカートリッジを保持するカートリッジ搬送部材と、
上記カートリッジの挿入方向に移動可能なスライダと、
上記カートリッジ搬送部材に係合され、上記スライダの上記挿入方向における一端側から延在される第１の付勢手段に一方が支持されると共に上記スライダの上記挿入方向における他端側から延在される第２の付勢手段に他方が支持されて上記スライダに保持される中間連結部材と、
上記スライダの移動に伴い上記中間連結部材を介して移動されるカートリッジ搬送部材内のカートリッジの挿入側側面に当接して当該カートリッジを所定の引込み位置に位置決めする位置決め手段とを備える
ことを特徴とするローディング装置。
【請求項２】
上記カートリッジ搬送部材は、上記カートリッジと共に上記スライダと一体で上記挿入方向に移動される上記中間連結部材により上記引き込み位置まで搬送され、
上記スライダは、上記位置決め手段が上記カートリッジに当接する上記引き込み位置まで上記カートリッジを搬送し、さらなる移動制御により上記第２の付勢手段による付勢力に反してオーバーストロークされる
ことを特徴とする請求項１に記載のローディング機構。
【請求項３】
上記カートリッジ搬送部材が上記カートリッジの挿入を受け入れるイジェクト位置に到達したときに上記中間連結部材に当接して該中間連結部材の上記挿入方向と反対方向へのさらなる移動を阻止するストッパを有し、
上記スライダは、上記中間連結部材をストッパに当接する位置まで上記挿入方向と反対の方向へ搬送し、さらに上記第１の付勢手段による付勢力に反して上記挿入方向と反対の方向へオーバーストロークされる
ことを特徴とする請求項１に記載のローディング機構。
【請求項４】
上記中間連結部材に近接配置され、上記カートリッジ搬送部材を介してのカートリッジの挿入による中間連結部材の移動により当該カートリッジの挿入を検出する検出手段を備え、
上記スライダは、上記検出手段による検出結果に応じて上記第１及び第２の付勢手段により保持される上記中間連結部材と共に上記挿入方向に移動制御される
ことを特徴とする請求項１に記載のローディング機構。
【請求項５】
記録媒体をケース内に収納して成るカートリッジを使用して当該記録媒体に対する信号の記録及び／又は再生を行う記録及び／又は再生装置であって、
上記記録媒体に対して信号の記録及び／又は再生を行う記録及び／又は再生手段と、
上記カートリッジを所定の装着部に装着するためのローディング機構とを備え、
上記ローディング機構は、
挿入されるカートリッジを保持するカートリッジ搬送部材と、
上記カートリッジの挿入方向に移動可能なスライダと、
上記カートリッジ搬送部材に係合され、上記スライダの上記挿入方向における一端側から延在される第１の付勢手段に一方が支持されると共に上記スライダの上記挿入方向における他端側から延在される第２の付勢手段に他方が支持されて上記スライダに保持される中間連結部材と、
上記スライダの移動に伴い上記中間連結部材を介して移動されるカートリッジ搬送部材内のカートリッジの挿入側側面に当接して当該カートリッジを所定の引込み位置に位置決めする位置決め手段とを備える
ことを特徴とする記録及び／又は再生装置。
【請求項６】
上記カートリッジ搬送部材は、上記カートリッジと共に上記スライダと一体で上記挿入方向に移動される上記中間連結部材により上記引き込み位置まで搬送され、
上記スライダは、上記位置決め手段が上記カートリッジに当接する上記引き込み位置まで上記カートリッジを搬送し、さらなる移動制御により上記第２の付勢手段による付勢力に反してオーバーストロークされる
ことを特徴とする請求項５に記載の記録及び／又は再生装置。
【請求項７】
上記カートリッジ搬送部材が上記カートリッジの挿入を受け入れるイジェクト位置に到達したときに上記中間連結部材に当接して該中間連結部材の上記挿入方向と反対方向へのさらなる移動を阻止するストッパを有し、
上記スライダは、上記中間連結部材をストッパに当接する位置まで上記挿入方向と反対の方向へ搬送し、さらに上記第１の付勢手段による付勢力に反して上記挿入方向と反対の方向へオーバーストロークされる
ことを特徴とする請求項５に記載の記録及び／又は再生装置。
【請求項８】
上記中間連結部材に近接配置され、上記カートリッジ搬送部材を介してのカートリッジの挿入による中間連結部材の移動により当該カートリッジの挿入を検出する検出手段を備え、
上記スライダは、上記検出手段による検出結果に応じて上記第１及び第２の付勢手段により保持される上記中間連結部材と共に上記挿入方向に移動制御される
ことを特徴とする請求項５に記載の記録及び／又は再生装置。
【発明の詳細な説明】
【０００１】
【発明の属する技術分野】
本発明は新規なローディング機構並びに記録及び／又は再生装置に関する。詳しくは、記録媒体を所定の装着位置に確実に装着する技術に関する。
【０００２】
【従来の技術】
記録媒体に対して信号の記録及び／又は再生を行う記録及び／又は再生装置において、記録媒体を所定の装着位置に装着するための方式の一つにカートリッジ搬送部材を用いたものがある。
【０００３】
すなわち、記録媒体をケース内に収納して成るカートリッジをカートリッジ搬送部材に保持させ、該カートリッジ搬送部材を所定の引込み位置まで移動させた後、さらに、該カートリッジ搬送部材を装着部の方向へ移動させて記録媒体を所定の装着部に装着するようにしたものである。
【０００４】
【発明が解決しようとする課題】
ところで、上記したカートリッジ搬送部材方式の場合、カートリッジ搬送部材の移動経路は、カートリッジのカートリッジ搬送部材への挿脱を行うイジェクト位置と上記引込み位置との間の経路と引込み位置と記録媒体を装着部に装着する装着位置との間の経路とはほぼ直交しており、引込み位置においてカートリッジが正確に位置決めされていないままカートリッジ搬送部材を装着位置へと移動させると、記録媒体が装着部に正規に装着されない、いわゆる装着ミスを引きおこす惧がある。
【０００５】
ところで、従来の記録及び／又は再生装置におけるカートリッジ搬送部材方式のローディング装置にあっては、カートリッジ搬送部材を引込み位置に位置決めするもの、例えば、位置決め手段をカートリッジ搬送部材の進行方向側側面に当接させて位置決めするものであったため、カートリッジ搬送部材とカートリッジとの間に多少でもガタがあると、カートリッジが引込み位置に正しく位置決めされないと言う問題があった。しかも、カートリッジとカートリッジ搬送部材との間には挿脱をスムーズに行うための多少のクリアランスは必要であり、該クリアランスが位置決めに際してはガタになってしまうというジレンマがあった。
【０００６】
そこで、本発明は、カートリッジ搬送部材に保持されて移動されるカートリッジを直接位置決めして記録媒体が装着部に確実に装着されるようにすることを課題とする。
【０００７】
【課題を解決するための手段】
本発明ローディング機構は、上記した課題を解決するために、挿入されるカートリッジを保持するカートリッジ搬送部材と、上記カートリッジの挿入方向に移動可能なスライダと、上記カートリッジ搬送部材に係合され、上記スライダの上記挿入方向における一端側から延在される第１の付勢手段に一方が支持されると共に上記スライダの上記挿入方向における他端側から延在される第２の付勢手段に他方が支持されて上記スライダに保持される中間連結部材と、上記スライダの移動に伴い上記中間連結部材を介して移動されるカートリッジ搬送部材内のカートリッジの挿入側側面に当接して当該カートリッジを所定の引込み位置に位置決めする位置決め手段とを備えるものである。
【０００８】
従って、本発明ローディング機構にあっては、カートリッジがカートリッジ搬送部材を介してではなく、直接位置決め手段によって引込み位置に位置決めされるので、カートリッジの引込み位置への位置決め不良に起因する装着ミスを無くすことが出来る。
【０００９】
また、本発明記録及び／又は再生装置は、上記した課題を解決するために、記録媒体に対して信号の記録及び／又は再生を行う記録及び／又は再生手段と、上記カートリッジを所定の装着部に装着するためのローディング機構とを備え、上記ローディング機構は、挿入されるカートリッジを保持するカートリッジ搬送部材と、上記カートリッジの挿入方向に移動可能なスライダと、上記カートリッジ搬送部材に係合され、上記スライダの上記挿入方向における一端側から延在される第１の付勢手段に一方が支持されると共に上記スライダの上記挿入方向における他端側から延在される第２の付勢手段に他方が支持されて上記スライダに保持される中間連結部材と、上記スライダの移動に伴い上記中間連結部材を介して移動されるカートリッジ搬送部材内のカートリッジの挿入側側面に当接して当該カートリッジを所定の引込み位置に位置決めする位置決め手段とを備えるものである。
【００１０】
従って、本発明記録及び／又は再生装置にあっては、カートリッジがカートリッジ搬送部材を介してではなく、位置決め手段によって直接引込み位置に位置決めされるので、カートリッジの引込み位置への位置決め不良に起因する装着ミスを無くすことが出来る。
【００１１】
【発明の実施の形態】
以下に、本発明の実施の形態を添付図面を参照して説明する。
【００１２】
なお、図示した実施の形態は、本発明を、扁平なカートリッジケース内に光磁気ディスクを回転可能に収納して成る記録媒体カートリッジを使用するディスク記録再生装置に適用したものである。
【００１３】
先ず、実施の形態において使用する記録媒体カートリッジ、すなわち、光磁気ディスクカートリッジ（以下、「ディスクカートリッジ」という。）について図１及び図２によって説明する。
【００１４】
ディスクカートリッジ１は扁平で正方形に近い四角形のカートリッジケース２を有する。該カートリッジケース２は一の方向、すなわち、前後方向ＡＢの長さが他の方向、すなわち、左右方向ＣＤの長さよりやや短く形成されている。カートリッジケース２の下面の中心部には挿入口３が形成される。また、下面の挿入口３の図中矢印Ｄ方向側の部分には光学ピックアップのレーザ光がアクセスするアクセス口４が形成され、上面の上記アクセス口４に対応した位置には記録用磁気ヘッドが挿入されるヘッド挿入口５が形成されている。
【００１５】
シャッター６が図１に示す閉塞位置と図２に示す開放位置との間を移動自在に設けられる。シャッター６はヘッド挿入口５を覆う上側覆い部６ａとアクセス口４を覆う下側覆い部６ｂとこれら覆い部６ａと６ｂをディスクカートリッジ１の側端部で連結する中間部６ｃとが一体に形成されて成る。また、中間部６ｃには係合孔６ｄが形成されている。シャッター６は上記閉塞位置において２つの覆い部６ａ、６ｂによってヘッド挿入口５とアクセス口４が覆われ、図示しないロック手段によって閉塞位置にロックされるようになっている。
【００１６】
カートリッジケース２の図中矢印Ｄ方向側の側端面には前端、すなわち、図中矢印Ａ方向側の端から後端、すなわち、図中矢印Ｂ方向側の端のやや手前に至る溝７が形成され、図中矢印Ｃ方向側の側端面には前端から中間部やや前寄りの位置まで延びる溝８が形成されている。そして、上記２つの溝７及び８は上下方向における中央よりやや上寄りに偏倚して位置している。従って、カートリッジケース２の前端の両側部において、溝７、８より上側の部分７ａ、８ａの肉厚が下側の部分７ｂ、８ｂの肉厚より薄くされている（図１参照）。
【００１７】
また、カートリッジケース２の下面の両側縁部の前端寄りの位置には下方と側方に開口したほぼ半円状の切欠９、９が形成されている。
【００１８】
上記したカートリッジケース２内に円盤状に形成された光磁気ディスク１０が回転可能に収納され、光磁気ディスク１０の中心部に取着された磁性体から成る円板状をしたコア１１がカートリッジケース２の下面の中心部に形成された挿入口３から下方に臨まされている。そして、上記コア１１の中心には中心孔１１ａが形成されている。また、該コア１１の下面には円形の嵌合凹部１１ｂが形成されている。
【００１９】
次に、ディスク記録再生装置１００について、図３の平面図、図４の左側面図、図５の右側面図により説明する。また、カートリッジホルダ１２０について、図６の平面図、図７の底面図、図８の後面図、図９の断面図により説明する。さらに、主支持体１３０について、図１０の平面図、図１１の底面図により説明する。以下、説明の際の左、右、前、後とは、平面図を基準とした方向である。
【００２０】
上記したディスクカートリッジ１を使用して光磁気ディスク９（例えば、ミニディスク（商標））に対して信号の記録及び再生を行うディスク記録再生装置１００はベースシャーシ１１０を備え、該ベースシャーシ１１０に所要の部材が配設又は支持されて成る。
【００２１】
上記ベースシャーシ１１０の上面側にはカートリッジホルダ１２０が上下方向に移動可能に支持されている。カートリッジホルダ１２０は、前後方向、すなわち、図中矢印ＥＦ方向にやや長い長方形の外形をした主支持体１３０と該主支持体１３０に取着された連結部材１４０及び搬送スライダ１５０を主たる構成要素として形成される。
【００２２】
主支持体１３０は合成樹脂で形成され、図１０及び図１１で分かるように、ほぼ右半部の後端部、すなわち、図中矢印Ｆ方向側の部分を除いた部分に大きな開口部１３１が形成されている。そして、該開口部１３１の右、すなわち、図中矢印Ｈ方向側の側縁のうち前端部、すなわち、図中矢印Ｅ方向側の端部を除いた部分の上下方向におけるほぼ中間の位置に突条１３１ａが形成されている。また、主支持体１３０の左側、すなわち、図中矢印Ｇ方向側の側縁のうち前後方向における中央よりやや後寄りの位置から前端部にかけて摺動溝１３２が形成されており、該摺動溝１３２の後端部にはやや右方に窪んだロック部１３２ａが形成されている。主支持体１３０の上記開口部１３１と摺動溝１３２との間の部分にほぼ前端部から後端部まで延びる案内スリット１３３、１３４が形成されている。そして、左側の案内スリット１３３の左側縁に沿って突条１３３ａが形成され、また、案内スリット１３３の右側に位置した案内スリット１３４の左右両側縁に沿って突条１３４ａ、１３４ａが形成されている。さらに、主支持体１３０の左後端部には前後方向に長い長方形をした配置孔１３０ｂが形成されている。
【００２３】
カートリッジホルダ１２０の主支持体１３０の右側面壁１３０ａの外側面に板バネ材料から成るシャッター開閉部材１６０が固定されている（図５参照）。シャッター開閉部材１６０は前後方向、すなわち、図中矢印ＥＦ方向に長い形状をしており、そのほぼ中間部分から左方に向かってシャッター開放片１６１が突設されている（図７参照）。また、シャッター開閉部材１６０の後端部からは左方に向かってシャッター閉塞片１６２が突設されている（図１１参照）。シャッター開放片１６１は平面形状でほぼ前後方向に長い長方形状をしており、左側縁の前端部が左前方を向いた傾斜縁１６１ａとされている。シャッター閉塞片１６２の左側縁は前端部１６２ａ及び後端部１６２ｂともに傾斜縁とされ、後端部の傾斜縁１６２ｂの傾斜に比較して前端部の傾斜縁１６２ａの傾斜の方が角度が急になっている。そして、シャッター開放片１６１及びシャッター閉塞片１６２共にカートリッジホルダ１２０の主支持体１３０の右側面壁１３０ａに形成された挿通孔から右側面壁１３０ａの内側に突出されている。そして、シャッター開閉部材１６０はシャッター開放片１６１が形成された部分の前後を上記右側面壁１３０ａにネジによって固定され、これによって、シャッター開放片１６１は左右に移動不能にされる。そして、シャッター閉塞片１６２は通常は右側面壁１３０ａの内側に突出した状態であるが、左方から押されると、シャッター開閉部材１６０の後端部が弾発的に撓むことによって右方へ移動し得るようにされている。
【００２４】
図１０に示すように、主支持体１３０のうち開口部１３１の左側縁に沿った部分の後端部寄りの位置に連結孔１３５が形成されている。また、左右の両側面の前後方向における中間よりやや後方、すなわち、図中矢印Ｆ方向に寄った位置には摺動ピン１３６、１３６が外方へ向かって突設されている。さらに、主支持体１３０の前端部の左右方向におけるほぼ中央部には連結片１３７が前方へ向けて突設されている。
【００２５】
さらに、カートリッジホルダ１２０の主支持体１３０の左右側面部の後端部下縁からは互いに近づく方向に支持面部１３８、１３９が突設されている。
【００２６】
次に、連結部材１４０について図１２の平面図、図１３の底面図により説明する。
【００２７】
連結部材１４０は板金材料を折り曲げ加工して形成されている。連結部材１４０は、図１２及び図１３で分かるように、左右方向に長い板状をした主部１４１と該主部１４１の左右両側縁からほぼ下方へ突出した被支持片１４２、１４３とが一体に形成されている。上記被支持片１４２、１４３の下端部後縁からは互いに近づく方に突出した突片１４２ａ、１４３ａが形成されている。また、左側被支持片１４２の下端部右側面及び右側被支持片１４３の下端部右側面にはそれぞれ被支持ピン１４２ｂ、１４３ｂが突設されている。さらに、主部１４１の左側縁の前端部からは下方へ側面部１４４が突設され、該側面部１４４の下端縁から右方へ向かって規制片１４４ａが突設され、また、該側面部１４４の上端からは左方へ向かってバネ掛け片１４４ｂが突設されている。
【００２８】
連結部材１４０の主部１４１の前縁の左右方向におけるほぼ中央部には左右に並んで２つの係合片１４５、１４６が前方に向けて突設されている。右側の係合片１４６は一旦下方へ突出してから前方へ突出され右方から見てほぼＬ字状を為し、側方から見るとこれら２つの係合片１４５、１４６が上下に離間して対向しているように見える。
【００２９】
連結部材１４０の主部１４１の左端部には配置開口１４７が形成され、該配置開口１４７にロック部材１７０が配置される。図９に示すように、ロック部材１７０は、合成樹脂によって形成されており、後方に開口した凹状をした基部１７１と該基部１７１の前端部から前方へ突設された爪片１７２とが一体に形成されている。爪片１７２の前端にはロック爪１７３が下方へ向けて突設されている。該ロック爪１７３の下端面１７３ａはやや後ろ上方へ傾斜した傾斜面とされている。上記基部１７１の後端寄りの位置の両側面には被支持ピン１７１ａ、１７１ａが突設されている。被支持ピン１７１ａ、１７１ａが連結部材１４０の主部１４１の配置開口１４７の後端部の両側部から下方へ突設された支持片１４８、１４８に回動自在に係合される。これによって、ロック部材１７０は前端部がほぼ上下方向へ移動する方向に回動可能に連結部材１４０に支持される。そして、ロック部材１７０の下方への回動は基部１７１の後端が連結部材１４０の主部１４１の下面に当接することによって規制され、上方への回動は基部１７１の前端部に右方へ向けて突設された規制ピン１７１ｂが連結部材１４０の基部１４１の下面に当接することによって規制される。
【００３０】
連結部材１４０の配置開口１４７の右側縁の中央部からやや前端寄りの位置に左方へ突出されたバネ掛け片１４７ａに捩じりコイルバネ１７４のコイル部１７４ａが外嵌状に支持され、前方へ延びる一方の腕１７４ｂが連結部材１４０の主部１４１の上面に弾接され、後方へ延びる他方の腕１７４ｃがロック部材１７０の基部１７１の前端部上面に弾接される。これによって、ロック部材１７０は下方へ付勢される。
【００３１】
上記した連結部材１４０が上記主支持体１３０と連結される。すなわち、連結部材１４０の左側部に形成された規制片１４４ａが主支持体１３０の左側部の下側に位置し、連結部材１４０の右側の係合片１４６が主支持体１３０の連結孔１３５に係合され、左側の係合片１３４が主支持体１３０の連結孔１３５の左側の開口縁部に上方から当接された状態となる。この状態で、連結部材１４０に支持されたロック部材１７０は主支持体１３０の左後端部に形成された配置孔１３０ｂに上方から臨まされる。
【００３２】
さらに、上記主支持体１３０に搬送スライダ１５０が前後方向に移動可能に支持される。搬送スライダ１５０は合成樹脂により形成され、図１４及び図１５から分かるように、左右方向、すなわち、図中矢印ＧＨ方向に長い上面部１５１を有し、該上面部１５１の前縁から前面部１５２が下方へ向けて突設されている。上面部１５１の左寄りの上面には前後方向に延びる突条１５３、１５４が左右に並んで形成されている。左側の突条１５３の後端部上面には左方に突出した係合摺動片１５３ａが形成され、右側の突条１５４の前端部上面には左右それぞれに突出した係合摺動片１５４ａ、１５４ａが形成されている。そして、上記突条１５３は上記主支持体１３０に形成された案内スリット１３３に摺動自在に係合され、且つ、その摺動係合片１５３ａが摺動スリット１３３の左側面に形成された突条１３３ａの上面に摺動自在に係合され、また、突条１５４は主支持体１３０の案内スリット１３４に摺動自在に係合され、且つ、その摺動係合片１５４ａ、１５４ａが案内スリット１３４の左右両側面に形成された突条１３４ａ、１３４ａの上面に摺動自在に係合されている。さらに、上記上面部１５１の右端部上面には右方へ突出した摺動係合片１５１ａが形成され、該摺動係合片１５１ａは上記主支持体１３０の開口部１３１の右側面に形成された突条１３１ａの上面に摺動自在に係合されている。このようにして、搬送スライダ１５０は上記主支持体１３０の下面に前後方向、すなわち、図中矢印ＥＦ方向に移動自在に支持される。
【００３３】
搬送スライダ１５０の前面部１５２の下縁の右寄りの位置には後方へ突出した支え片１５５が形成されている。また、上面部１５１の左端部には後方へ突出した突片１５６が形成されており、該突片１５６の中央部には被ロック孔１５６ａが形成され、該被ロック孔１５６ａの後縁１５６ａ′は前上方を向いた傾斜面とされている。また、突片１５６の左側縁から支持片１５６ｂが下方へ向けて突設され、該支持片１５６ｂの下縁から右方へ挿入規制片１５６ｃが突設されている（図９参照）。該挿入規制片１５６ｃは、面方向が水平方向に延びる小さな板状をしており、上記被ロック孔１５６ａに対向し、且つ、上記ディスクカートリッジ１が正規の向きでカートリッジホルダ１２０に挿入されてきたときの左側の溝８の高さに対応した位置に形成されている。
【００３４】
さらに、搬送スライダ１５０の前面部１５２の左端部１５２ａは切り欠かれており、該切欠部１５２ａに近接した位置の下端部から連結片１５７が前方へ向けて突設されており、該連結片１５７の前端部から左方へ向けて係合突起１５７ａが突設されている。また、前面部１５２の中央部分には切欠部１５２ｂが形成されている。
【００３５】
搬送スライダ１５０の上面部１５１の左端部下面にはロックレバー１８０が回動自在に支持されている。ロックレバー１８０は、互いにほぼ直角の位置関係を持って延びる３個の腕片１８１、１８２、１８３を有し、これら３個の腕片１８１、１８２、１８３の基部が連結された中間部に上下に延びる被支持孔１８４が穿設されている。そして、中間部からほぼ前方へ延びる第１の腕片１８１の先端部には上方へ突出したロックピン１８１ａが形成され、中間部からほぼ右方へ延びる第２の腕片１８２は被作用片とされ、中間部からほぼ後方へ延びる第３の腕片１８３の先端部にはその上端から左方へ突出したロック突起１８３ａとその下端から右方へ突出した係合突起１８３ｂとが形成されている。そして、このようなロックレバー１８０はその被支持孔１８４に搬送スライダ１５０の上面部１５１の左端部前端に下方へ突出された支持軸１５８が挿通され、これによって、ロックレバー１８０が搬送スライダ１５０に回動可能に支持される。そして、ロックレバー１８０は図示しないスプリングによって上方から見て時計回り方向、すなわち、図中矢印ＣＷ方向へ付勢されている。
【００３６】
搬送スライダ１５０の前面部１５２の右端部には板バネ材料から成るクリック部材１９０が固定されている。該クリック部材１９０は上記前面部１５２に支持される被支持片１９１と該被支持片１９１の下縁から後方へ突出した下面部１９２とを有し、該下面部１９２は後端部が右方へ突出したほぼＬ字状をしており、下面部１９２の右方へ突出した部分に上方へ打ち出し状に突出した係合突起１９３が形成されている。該係合突起は後面部１９２に左右に並んで前後方向に延びる２条のスリットを形成し、該２つのスリットの間の部分を上方へ打ち出して形成されている。
【００３７】
そして、上記した搬送スライダ１５０が移動範囲の後端、すなわち、待機位置に位置した状態で、連結部材１４０に支持されたロック部材１７０のロック爪１７３が搬送スライダ１５０の被ロック孔１５６ａに係合する。また、ロックレバー１８０のロック突起１８３ａがカートリッジホルダ１２０の主支持体１３０の左側面壁１３０ｃの後端部に形成された係合孔１３０ｄに係合する（図１９参照）。さらに、ロックレバー１８０のロックピン１８１ａがカートリッジホルダ１２０の主支持体１３０の摺動溝１３２の後端に形成されたロック部１３２ａに係合した状態となっている。これらによって、搬送スライダ１５０は移動範囲の後端に、すなわち、待機位置にロックされた状態となっている。なお、この待機位置は、記録又は再生を行っていたディスクカートリッジ１を取り出す位置でもあるので「イジェクト位置」とも称する。
【００３８】
次に、上記したカートリッジホルダ１２０にディスクカートリッジ１が挿入される手順を説明する。
【００３９】
先ず、ディスクカートリッジ１が正規の向きで、すなわち、カートリッジケース２の上面が上方を向き、前端、すなわち、図中矢印Ａ方向側端が装置の前方、すなわち、図中矢印Ｅ方向側端を向いた向きで挿入される場合について説明する。
【００４０】
ディスクカートリッジ１が正規の向きで、カートリッジホルダ１２０の支持面部１３８、１３９の上側に挿入されていくと、搬送スライダ１５０に設けられた挿入規制片１５６ｃがディスクカートリッジ１の左側の溝８に相対的に挿入されていく。これによって、ディスクカートリッジ１は搬送スライダ１５０の方へ向かって挿入されていく。ディスクカートリッジ１がさらにカートリッジホルダ１２０内に挿入されると、その前端部によってロック部材１７０のロック爪１７３の下端面（傾斜面）１７３ａを押圧する。これによって、ロック部材１７０は捩じりコイルバネ１７４の付勢力に抗して上方へ回動し、ロック爪１７３の傾斜面１７３ａが搬送スライダ１５０の被ロック孔１５６ａの後端の傾斜面１５６ａ′と前後で対向した状態とされる（図１７、図１８参照）。従って、この状態から搬送スライダ１５０が前方へ移動しようとすると、ロック爪１７３の傾斜面１７３ａが被ロック孔１５６ａの傾斜面１５６ａ′を相対的に上方へ滑り上がっていくので、この図１７及び図１８に示した段階でロック爪１７３による搬送スライダ１５０へのロックが解除されたことになる。そこからさらに、ディスクカートリッジ１がカートリッジホルダ１２０内に挿入されると、その前端面がロックレバー１８０の第２の腕片１８２の先端を押圧する。これによって、ロックレバー１８０は図示しないスプリングの付勢力に抗して上方から見て反時計回り方向、すなわち、図中矢印ＣＣＷ方向へ回動し、これに伴って、第１の腕片１８１に設けられたロックピン１８１ａが主支持体１３０の摺動溝１３２の後端に形成されたロック部１３２ａから左方へ外れ、また、第３の腕片１８３の先端に設けられたロック突起１８３ａが主支持体１３０の左側面部１３０ｃに形成された係合孔１３０ｄから右方へ外れる。これによって、搬送スライダ１５０に対する待機位置へのロックが全て解除される（図１９参照）。さらに、第３の腕片１８３の先端部に形成された係合突起１８３ｂがディスクカートリッジ１の左側縁の下側に形成された切欠９に係合し、同時に、ディスクカートリッジ１の前端部によって下方へ撓まされていたクリック部材１９０の下面部１９２が上方へ戻ってその係合突起１９３がディスクカートリッジ１の右側縁下側に形成された切欠９と係合する。これによって、ディスクカートリッジ１は搬送スライダ１５０にホールドされた状態となる。
【００４１】
なお、ディスクカートリッジ１は搬送スライダ１５０にホールドされたといっても、搬送スライダ１５０の各部及びディスクカートリッジ１のホールドに関わる部材の公差等によって搬送スライダ１５０とディスクカートリッジ１との間には若干のガタツキが生じるのが通常である。
【００４２】
搬送スライダ１５０にホールドされた状態からディスクカートリッジをさらにカートリッジホルダ１２０内に押し込むと、その力によって、搬送スライダ１５０は前方へ移動する。そして、搬送スライダ１５０が僅かに前進すると、後述する検知手段がこれを検知し、後述するモード形成機構が駆動し、それによって、搬送スライダ１５０が前方の所定の引込位置まで移動し、ディスクカートリッジ１は搬送スライダ１５０によって所定の引込位置まで搬送される（図２０参照）。この点については後に詳述する。
【００４３】
次に、ディスクカートリッジ１が間違った向きで、カートリッジホルダ１２０内に挿入された場合について説明する。ディスクカートリッジ１が間違った向きで挿入される場合には、前後逆の向きで挿入される場合と、天地逆の向きで挿入される場合と、側面部、すなわち、寸法の短い側が前方を向いた向きで挿入される場合とが考えられる。
【００４４】
ディスクカートリッジ１が前後逆の向きで挿入される場合には、溝７、８は後端まで達していないので、ディスクカートリッジ１の後端面がカートリッジホルダ１２０の挿入規制片１５６ｃに当接し、それ以上はカートリッジホルダ１２０の奥へ入ることができない（図２１、図２２参照）。
【００４５】
ディスクカートリッジ１を天地逆の向きで挿入した場合には、ディスクカートリッジ１のＤ側の溝７の上下方向における位置がカートリッジホルダ１２０の挿入規制片１５６ｃの高さ方向における位置と異なるため、ディスクカートリッジ１の前端面のＤ側端部のうち溝７より下側の部分７ｂ、詳しくは、溝７の下側部分に続くテーパー部７ｂ′に挿入規制片１５６ｃが衝合し、ディスクカートリッジ１はそれ以上カートリッジホルダ１２０内に入ることができない（図２３、図２４参照）。
【００４６】
最後に、ディスクカートリッジ１が、側面部、すなわち、寸法の短い側が前方を向いた向きで挿入された場合であって、ディスクカートリッジ１が挿入規制片１５６ｃの位置を避けて挿入された場合は挿入規制片１５６ｃが設けられた位置より奥まで挿入され、ロックレバー１８０の第２の腕片１８２を後方へ押圧し、これによってロックレバーを上方から見て反時計回り方向、すなわち、図中矢印ＣＣＷ方向へ回動させ、第１の腕片１８１に設けられたロックピン１８１ａを摺動溝１３２のロック部１３２ａから左方へ逃げさせる（図２５参照）。しかし、ディスクカートリッジ１が挿入規制片１５６ｃが位置している部分、すなわち、ロック部材１７０のロック爪１７３が位置している部分を通過しないので、ロック部材１７０のロック爪１７３が搬送スライダ１５０の被ロック孔１５６ａと係合している状態が解除されることはなく、搬送スライダ１５０は前方へ移動することができない。
【００４７】
以上に説明したように、ディスクカートリッジ１は、正規の向きでしかカートリッジホルダ１２０に挿入されない。そして、かかる規制は、搬送スライダ１５０に挿入規制片１５６ｃを設けることと、搬送スライダ１５０を待機位置にロックしているロック手段（ロック部材１７０）を上記挿入規制片１５６ｃと上下で対向した位置に配置して、該ロック手段によるロックの解除が上記挿入規制片１５６ｃによる規制をクリアして当該部分を通過していくディスクカートリッジ１によって為されるようにしてあるので、ディスクカートリッジ１の誤挿入を確実に、且つ、簡単な構成で防止することができる。
【００４８】
次に、図２６乃至図３０により、装置本体について詳細に説明する。
【００４９】
上記したカートリッジホルダ１２０はベースシャーシ１１０に上下方向へ移動可能に支持される。
【００５０】
ベースシャーシ１１０は合成樹脂によって形成され、後端部の左右両側端部には上方へ突出した支持片１１１、１１１が突設されており、該支持片１１１、１１１に支持孔１１１ａ、１１１ａが形成されている。また、ベースシャーシ１１０の左右両側縁部の前後方向における中間部よりやや後方に寄った位置にガイド柱１１２、１１２が上方へ向けて突設されており、該ガイド柱１１２、１１２の互いに対向した面には上下方向に延びるガイド溝１１２ａ、１１２ａが形成されている。さらに、ベースシャーシ１１０の前端部の左右方向における中間部よりやや右方に寄った位置に係合片１１３が上方に向けて突設されており、該係合片１１３には上下に長い摺動係合孔１１３ａが形成されている（図４参照）。さらにまた、左側の支持片１１１の左側にやや離間して抜け防止片１１４が立設されている。
【００５１】
そして、カートリッジホルダ１２０は前端部がやや上方に位置した斜めの姿勢で、連結部材１４０の被支持ピン１４２ｂ、１４３ｂがベースシャーシ１１０の支持片１１１、１１１の支持孔１１１ａ、１１１ａに左側から挿通され、その後、前端部が下方に移動するように回動させる。すると、カートリッジホルダ１２０の摺動ピン１３６、１３６がベースシャーシ１１０のガイド柱１１２、１１２に形成されたガイド溝１１２ａ、１１２ａに上下方向へ摺動可能に係合される。さらに、カートリッジホルダ１２０の前端部に形成された連結片１３７がベースシャーシ１１０の前端部に形成された係合片１１３の摺動係合孔１１３ａに上下方向へ摺動可能に係合される。そして、カートリッジホルダ１２０の連結部材１４０のバネ掛け片１４４ｂとベースシャーシ１１０の後端部左側面部に突設されたバネ掛け片１１５との間に引っ張りコイルバネ１１６が張設され、これによって、連結部材１４０は前端部が下方へ移動する方向へ回動するように付勢される。
【００５２】
以上にようにして、カートリッジホルダ１２０はベースシャーシ１１０に上下方向へ移動可能に支持される。そして、このように、カートリッジホルダ１２０がベースシャーシ１１０に支持されると、カートリッジホルダ１２０の連結部材１４０の左側の被支持片１４２はベースシャーシ１１０の左側の支持片１１１と抜け防止片１１４との間に位置し、そのため、連結部材１４０は左方への移動を規制され、従って、被支持ピン１４２ｂ及び１４３ｂがベースシャーシ１１０の支持片１１１、１１１の支持孔１１１ａ、１１１ａから左方へ抜け出てしまうことが防止される。
【００５３】
上記ベースシャーシ１１０上にモード形成機構、ディスク回転駆動機構、光ピックアップ機構、オーバーライトヘッド機構等が構成されて、ディスク記録再生装置１００の装置本体部２００が構成される。
【００５４】
モード形成機構は２つのスライダ、すなわち、モードスライダ２１０とローディングスライダ２２０とを備える。
【００５５】
モードスライダ２１０は、合成樹脂で形成され、図３１及び図３２から分かるように、ベースシャーシ１１０の上面に前後方向、すなわち、図中矢印ＥＦ方向へ移動可能に支持されている。モードスライダ２１０はほぼ前後方向に長い板状をしたラック形成部２１１と該ラック形成部２１１の前端部から右方、すなわち、図中矢印Ｈ方向に突出したヘッド駆動部２１２とを有する。ラック形成部２１１の右側縁のうち前後方向における中間部から前端寄りの部分にかけてラック歯２１３が形成されている。ラック形成部２１１の左側縁の前後方向における中間部からやや前方の位置に右前へ向かって延びる係合切欠２１４が形成される。左側縁のうち係合切欠２１４形成部位外の部分に低い側壁２１１ａが立設され、前後両端部の側壁２１１ａの外側に被押さえ片２１１ｂ、２１１ｂが左方へ突設されている。また、ラック形成部２１１の右側縁に沿った位置の上面に前後方向に延びる案内溝２１５が形成されている。さらに、ラック形成部２１１の上記側壁２１１ａの前端部にはカム部２１６が形成されており、該カム部２１６の上縁は最も高い位置で水平に延びる前端部２１６ａと該前端部２１６ａから後下がりに傾斜した傾斜部２１６ｂとから成っている。
【００５６】
モードスライダ２１０のヘッド駆動部２１２の右側縁に沿って前後方向に延びるカム部２１７が形成されており、該カム部２１７の上縁は後端の高い位置で水平に延びる高位部２１７ａと前端の低い位置で水平に延びる低位部２１７ｂとこれら２つの部分を連結している前下がりの傾斜部２１７ｃとから成る。また、該ヘッド駆動部２１２には上記カム部２１７の上縁の各部２１７ａ、２１７ｂ及び２１７ｃの上側に僅かに間隔をあけて位置するように補助片２１７ｄが形成されている。これによって、カム部２１７の上縁の形状に沿ったカム溝が形成されている。また、ヘッド駆動部２１２には前後方向に延びる被案内スリット２１２ａが形成されている。
【００５７】
ベースシャーシ１１０の左側縁に沿った位置には前後方向に延びるスリット１１７が形成されている（図２９参照）。スリット１１７の前端寄りの右側縁に沿った位置にロック片２３０の前端部が回動自在に支持されており、該ロック片２３０の後端部にはロックピン２３１が突設されている（図４８及び図４９参照）。
【００５８】
そして、上記モードスライダ２１０はベースシャーシ１１０の上面に前後方向へ摺動自在に支持される。なお、モードスライダ２１０の被案内スリット２１２ａにはベースシャーシ１１０に立設された案内突起１１０ａが摺動可能に係合される。また、ベースシャーシ１１０の左側縁に沿って補助部材２４０が固定され、該補助部材２４０の右側面の下端には段差２４１が形成されており、該段差２４１とベースシャーシ１１０の上面との間にモードスライダ２１０の被押え片２１１ｂ、２１１ｂが摺動自在に係合される（図３０参照）。なお、上記した左側のガイド柱１１２及びバネ掛け片１１５はこの補助部材２４０に形成されている。
【００５９】
ローディングスライダ２２０はラック形成部２５０とリミッタ部２６０とから成る。なお、上記リミッタ部２６０はラック形成部２５０と上記搬送スライダ１５０との間に介在されて両者を連結する中間連結部材として機能する。
【００６０】
ラック形成部２５０は滑り性が良好である合成樹脂で形成され、図３３乃至図３６から分かるように、ほぼ前後方向に長い板状をしており、右側縁の全体に亘ってラック歯２５１が形成されている。ラック形成部２５０の左側縁に寄った位置には後端に開口したスリット２５２が前後方向における中間近くまで延びて形成されている。また、ラック形成部２５０の右側縁に寄った位置には前後に離間して２つの案内突起２５３、２５４が形成されている。これら案内突起２５３、２５４の上端部にはそれぞれ左右に突出した突出部２５３ａ、２５３ａ、２５４ａ、２５４ａが形成され、また、前側の案内突起２５３の後面及び後側の案内突起２５４の前面にはそれぞれバネ支持突起２５３ｂ、２５４ｂが突設されている。さらに、ラック形成部２５０の左側縁には下方へ突出した突条２５５が形成されており、該突条２５５にはほぼ前後方向における中間の位置から後端寄りの位置に至る切欠２５５ａが形成されいる。また、該突条２５５の後端部には左後方を向いた傾斜面２５５ｂが形成されている。さらにまた、ラック形成部２５０の下面のうち右側縁に寄った位置には前後に間隔をあけて３個の摺動突起２５６、２５６、２５６が突設されている。
【００６１】
リミッタ部２６０は合成樹脂で形成されており、図３７及び図３８から分かるように、ほぼ前後方向に長い板状をしており、その長さは上記ラック形成部２５０の長さより僅かに短く、また、幅はラック形成部２５０の幅よりラック歯２５１の突出分だけ狭くなっている。該リミッタ部２６０の左側縁に寄った位置には後端に開口したスリット２６１が前後方向における中間近くまで延びている。また、リミッタ部２６０の右側縁に寄った位置に前後に離間して前後方向に延びる２つの被案内スリット２６２、２６３が形成される。そして、前側の被案内スリット２６２の後端部には前方へ突出したバネ支持突起２６２ａが、また、後側の被案内スリット２６３の前端部には後方へ突出したバネ支持突起２６３ａがそれぞれ設けられている。さらに、右側縁に沿った位置の前後方向における中間の部分に連結柱２６４が立設され、該連結柱２６４の右側面には上下に延び上端に開口した連結溝２６４ａが形成されている。さらにまた、リミッタ部２６０の左側縁部の前後方向におけるほぼ中間の位置には下方に突出した突片２６５が形成されている。
【００６２】
上記したリミッタ部２６０はラック形成部２５０の上に重ね合わされる。すなわち、ラック形成部２５０の案内突起２５３、２５４がリミッタ部２６０の被案内スリット２６２、２６３に摺動自在に係合し、案内突起２５３、２５４は突出部２５３ａ、２５４ａによって被案内スリット２６２、２６３から抜け止めされる。
【００６３】
そして、ラック形成部２５０とリミッタ部２６０の前側の案内突起２５３と前側の被案内スリット２６２の後端との間には第１の付勢手段として第１のコイルバネ２６６が、また、後側の案内突起２５４と後側の被案内スリット２６３の前端との間には第２の付勢手段として第２のコイルバネ２６７がそれぞれ適度に圧縮された状態で介挿される。そして、それぞれのコイルバネ２６６、２６７の両端部はバネ支持突起２５３ｂ、２６２ａ、２５４ｂ、２６３ａに外嵌状に支持される。
【００６４】
また、リミッタ部２６０の突片２６５はラック形成部２５０の左側縁に形成された切欠２５５ａ内に前後方向へ移動可能に位置される。以上のようにしてラック形成部２５０とリミッタ部２６０とが結合され、上方から見たときに、両者のスリット２５２、２６１が左右方向で一致し且つ前後方向でほぼ一致した状態となり、また、リミッタ部２６０の左側縁からラック形成部２５０のラック歯２５１が左方に突出した状態となる。
【００６５】
上記コイルバネ２６６、２６７はほぼ同じバネ力を有しており、２つのコイルバネ２６６、２６７のバネ力の釣り合ったところでリミッタ部２６０がラック形成部２５０に対して停止した状態となる。以上のようにして、ローディングスライダ２２０が形成される。
【００６６】
上記のようにして形成されたローディングスライダ２２０は上記モードスライダ２１０の上に前後方向へ移動可能に重ねられる。すなわち、ローディングスライダ２２０のラック形成部２５０の下面に形成された摺動突起２５６、２５６、２５６がモードスライダ２１０の上面に形成された案内溝２１５に摺動自在に係合された状態となる。そして、上記補助部材２４０の左側縁から上方へ突設された側壁２４２の上端縁に左方へ突出するように形成された庇片２４３がローディングスライダ２２０のリミッタ部２６０の左側縁部の上面を上方から覆うように位置し（図３０参照）、これによって、ローディングスライダ２２０はモードスライダ２１０からの脱落が防止される。
【００６７】
上記したように、モードスライダ２１０とローディングスライダ２２０とが積層された状態で、双方のラック歯２１３と２５１とは平面的に見て同じ軌跡上を移動するように配置され、ローディングスライダ２２０のラック形成部２５０に形成された突条２５５はモードスライダ２１０のラック形成部２１１の左側縁の左側に沿って位置し、モードスライダ２１０に形成されたカム部２１６はローディングスライダ２２０のスリット２５２、２６１の移動軌跡上に位置するようになる。
【００６８】
また、モードスライダ２１０及びローディングスライダ２２０共に移動範囲の後端、すなわち、初期位置に位置した状態（図４１乃至図４４参照）において、双方のラック歯２１３、２５１はほぼ上下で重なって位置し、ローディングスライダ２２０のラック歯２５１の方がモードスライダ２１０のラック歯２１３より長いのに対応して、ローディングスライダ２２０のラック歯２５１の前端部はモードスライダ２１０のラック歯２１３の前端より前方に位置した状態となる（図４４参照）。また、モードスライダ２１０のカム部２１６はローディングスライダ２２０のスリット２５２、２６１内に位置し、さらに、ロック片２３０のロックピン２３１はモードスライダ２１０の係合切欠２１４に係合して、モードスライダ２１０を上記初期位置にロックする。そして、ローディングスライダ２２０の突条２５５が上記係合切欠２１４の開口の左側に位置し、ロックピン２３１が係合切欠２１４から抜け出るのを防止している。
【００６９】
そして、上記カートリッジホルダ１２０の連結部材１４０に形成された規制片１４４ａは上記初期位置にあるモードスライダ２１０のカム部２１６の前端部２１６ａ上に載置された状態とされる。これによって、カートリッジホルダ１２０は移動範囲の上端に位置した状態となっている。また、カートリッジホルダ１２０の搬送スライダ１５０の連結片１５７に設けられた係合突起１５７ａはローディングスライダ２２０の連結柱２６４に形成された連結溝２６４ａに係合されている。
【００７０】
ベースシャーシ１１０のほぼ中央部にはディスク回転駆動機構２７０が配置される。該ディスク回転駆動機構２７０はベースシャーシ１１０に固定されたスピンドルモータ２７１と該スピンドルモータ２７１のスピンドル軸２７１ａの上端部に固定され光磁気ディスク１０が装着される装着部としてのターンテーブル２７２とから成り、該ターンテーブル２７２の上面には上記光磁気ディスク１０のコア１１の下面に形成された円形の嵌合凹部１１ｂに内嵌する大きさの円形の台部２７２ａが形成されており、該台部２７２ａの上面には円環状をしたチャッキングマグネット２７３が埋設状に固定されている。
【００７１】
次に、図２６乃至図２９により装置本体についてさらに詳細に説明する。
【００７２】
ベースシャーシ１１０の上記ディスク回転駆動機構２７０が配置された個所から右方の部分に光学ピックアップ機構２８０が配置される。光学ピックアップ機構２８０は光学ピックアップ装置と該光学ピックアップ装置を左右方向、すなわち、図中矢印ＧＨ方向へ移動させるスレッド機構とから成る。
【００７３】
光学ピックアップ装置２８１は、スライドベース２８２上に対物レンズ２８３他の部材や部品が配設されて成る。ベースシャーシ１１０の上面のうちほぼ右半部の前後方向におけるほぼ中間部からやや前方へ寄った位置に左右方向に延びるガイド軸２８４が配設され、上記スライドベース２８２の前端部が該ガイド軸２８４に摺動自在に支持されている。スライドベース２８２の後端部には上下に並んで後方へ突出した２個の摺動片２８２ａ、２８２ａが形成されており、該摺動片２８２ａ、２８２ａがベースシャーシ１１０の右半部の後端部に形成された開口部１１８の後側開口縁１１８ａを上下から挟み付けた状態で左右方向へ摺動自在に係合している。また、スライドベース２８２の前端部にはラック部２８２ｂが形成されている。
【００７４】
スレッド機構２８５は、上記ラック部２８２ｂと噛合したピニオンギヤ２８６と、スレッドモータ２８７と、該スレッドモータ２８７の回転を上記ピニオンギヤ２８６に伝達する伝達ギヤ列２８８とから成る。
【００７５】
ベースシャーシ１１０には、さらに、上記モードスライダ２１０及びローディングスライダ２２０を移動させるためのローディング駆動部２９０が設けられる。該ローディング駆動部２９０は、上記モードスライダ２１０及びローディングスライダ２２０を移動させるピニオンギヤ２９１と、駆動モータ２９２と、該駆動モータ２９２の回転をピニオンギヤ２９１に伝達する伝達ギヤ列２９３とから構成される。上記ピニオンギヤ２９１は、上記モードスライダ２１０のラック歯２１３及びローディングスライダ２２０のラック歯２５１の双方と噛合しうる幅を有しており、それぞれ初期位置にあるモードスライダ２１０のラック歯２１３の前端のやや前方で、ローディングスライダ２２０のラック歯２５１の前端部と噛合する位置に位置している。
【００７６】
上記したように、ディスクカートリッジ１が正規の向きでカートリッジホルダ１２０に挿入され、カートリッジホルダ１２０に対する待機位置へのロックが解除され、そこからさらに、ディスクカートリッジ１がカートリッジホルダ１２０内に押し込まれると、該ディスクカートリッジ１に押されて搬送スライダ１５０が前方へ移動される。なお、初期位置においてローディングライダ２２０のリミッタ部２６０突片２６５の下端部２６５ａがベースシャーシ１１０に設けられたストッパ２６８に当接して位置規制されており、また、リミッタ部２６０の突片２６５の下端部２６５ａがベースシャーシ１１０に支持された図示しない回路基板上に設けられたスイッチ２６９の操作子２６９ａを押圧した状態となっている（図４５参照）。このスイッチ２６９はディスクカートリッジ１の搬送スライダ１５０への挿入を検出する検出手段として機能し、リミッタ部２６０が前方へ移動して該リミッタ部２６０の突片２６５の下端部２６５ａがスイッチ２６９から前方へ離間して操作子２６９ａへの押圧を解除したときにディスクカートリッジ１の挿入検知信号を出力し、リミッタ部２６０の突片２６５の下端部２６５ａが操作子２６９ａを押圧したときにリミッタ部２６０が初期位置に位置したことを示す信号を出力するようになっている。
【００７７】
また、後方へ移動してきたローディングスライダ２２０のリミッタ部２６０がストッパ２６８に当接して後方への移動を停止された状態（このときリミッタ部２６０の突片２６５の下端部２６５ａによってスイッチ２６９の操作子２６９ａが押圧される）から駆動モータ２９２はさらに僅かの時間駆動されてから停止する。従って、ローディングスライダ２２０においてラック形成部２５０は、リミッタ部２６０が後方への移動を停止してからさらに僅かに後方へ移動して停止する。すなわち、ラック形成部２５０はリミッタ部２６０に対してオーバーストロークされる。そして、このラック形成部２５０のオーバーストロークは２つのコイルバネ２６６、２６７の均衡状態から第１のコイルバネ２６６が僅かに圧縮され且つ第２のコイルバネ２６７が僅かに伸張されることによって可能になる（図４４参照）。従って、初期状態においては、第１のコイルバネ２６６の圧縮によって生じる圧力がリミッタ部２６０を後方へ付勢し、該付勢力が搬送スライダ１５０に作用して、搬送スライダ１５０は待機位置にガタのない状態で保持される。
【００７８】
そして、搬送スライダ１５０は挿入されてくるディスクカートリッジ１に押されると、該押圧力が搬送スライダ１５０の連結片１５７、ローディングスライダ２２０のリミッタ部２６０の連結柱２６４を介してリミッタ部２６０に伝達され、これによって、リミッタ部２６０は第１のコイルバネ２６６を圧縮しながらラック部２５０に対して前方へ移動する（図４６参照）。
【００７９】
そして、搬送スライダ１５０が待機位置から僅かに前方へ移動すると、該搬送スライダ１５０と共に移動するリミッタ部２６０の突片２６５の下端部２６５ａがスイッチ２６９から前方へ離間していき上記下端部２６５ａによるスイッチ２６９の操作子２６９ａの押圧が解除される（図４７参照）。スイッチ２６９の操作子２６９ａに対するリミッタ部２６０の突片２６５の下端部２６５ａによる押圧が解除されると、スイッチ２６９からディスクカートリッジ１が挿入された旨の信号、すなわち、挿入検知信号が出力され、ローディング駆動部２９０の駆動モータ２９２がローディング方向へ駆動され、伝達ギヤ列２９３を介してピニオンギヤ２９１が上方から見て時計回り方向へ回転する。
【００８０】
なお、ローディングスライダ２２０はラック形成部２５０とリミッタ部２６０とによって２重構造に形成され、ラック形成部２５０とリミッタ部２６０とが２つのコイルバネ２６６、２６７を介して連結されているので、搬送スライダ１５０がディスクカートリッジ１を介して押し込まれて前方へ移動するときに第１のコイルバネ２６６が圧縮されてリミッタ部２６０のみが前方へ移動する（図４６参照）ことによって、ラック歯２５１を介してピニオンギヤ２９１が強引に回転されてしまうことが防止される。
【００８１】
そして、ピニオンギヤ２９１が時計回り方向へ回転すると、該ピニオンギヤ２９１とラック歯２５１が噛合しているローディングスライダ２２０が前方へ、すなわち、図中矢印Ｅ方向へ移動される。ローディングスライダ２２０が前方へ移動すると、ローディングスライダ２２０と連結されている搬送スライダ１５０が前方へ向けて移動される。そして、搬送スライダ１５０が前方へ向かって移動されると、搬送スライダ１５０に設けられた係合突起１８３ｂ、１９３が左右の切欠９、９に係合することによって搬送スライダ１５０に左右から保持されているディスクカートリッジ１は搬送スライダ１５０によってカートリッジホルダ１２０の奥、すなわち、前方へ向かって搬送されていく。そして、ディスクカートリッジ１がカートリッジホルダ１２０の奥へ向かって搬送されていく間に、シャッター開閉部材１６０のシャッター開放片１６１がディスクカートリッジ１の溝７に侵入していって、シャッター６の閉塞位置へのロックを解除し、且つ、シャッター閉塞片１６２の後側傾斜縁がシャッター６の中間部６ｃの右側に乗り上げ、次いで、シャッター閉塞片１６２がシャッター６の中間部６ｃに形成された係合孔６ｄに係合する。そこからさらに、ディスクカートリッジ１が奥へと搬送されると、シャッター開放片１６１がシャッター６の中間部６ｃの前端を相対的に後方へ押圧するので、シャッター６は開放位置へ向けて移動されていく。
【００８２】
そして、搬送スライダ１５０が一番奥の引込位置に到達する直前に、ローディングスライダ２２０の突片２６５がモードスライダ２１０の前側の被押さえ片２１１ｂの後端に当接し、且つ、ローディングスライダ２２０の突条２５５がモードスライダ２１０の係合切欠２１４を閉塞する位置から前方へ移動した状態となる（図４８、図４９参照）。従って、そこから搬送スライダ１５０が引込位置まで移動する間に、モードスライダ２１０はローディングスライダ２２０の突片２６５及びモードスライダ２１０の前側の被押さえ片２１１ｂを介してローディングスライダ２２０によって前方へ引っ張られ、ロック片２３０のロックピン２３１を係合切欠２１４から外へ排出しながら前方へ移動し、そのラック歯２１３がローディング駆動部２９０のピニオンギヤ２９１と噛合する直前の状態となる（図４９参照）。
【００８３】
一方、搬送スライダ１５０が引込位置に到達すると（図２０参照）、ベースシャーシ１１０の前端寄りの部分の左右方向におけるほぼ中央部に上方へ向けて突設された位置決め突起１１９の上端部が搬送スライダ１５０の前面部１５２のほぼ中央部に設けられた切欠部１５２ｂを相対的に通過してディスクカートリッジ１の前面に当接し（図５０参照）、ディスクカートリッジ１のそれ以上前方への移動が阻止されて、ディスクカートリッジ１は引込み位置に位置決めされる。そして、ローディングスライダ２２０はディスクカートリッジ１が位置決め突起１１９によって引込み位置に位置決めされてからさらに僅かに前方へ移動してローディングスライダ２２０のラック歯２５１が上記ピニオンギヤ２９１より前に移動し、ピニオンギヤ２９１との噛合が解除され、そこで、ローディングスライダ２２０の前方への移動が停止する。そして、ディスクカートリッジ１が引込み位置に位置決めされてからラック歯２５１のピニオンギア２９１との噛合が解除されるまでの間に、ローディングスライダ２２０のラック形成部２５０は前方へ移動するが、搬送スライダ１５０はディスクカートリッジ１と係合しているためディスクカートリッジ１との間のガタ分だけしか前方へ移動することが出来ず（図５２参照）、従って、搬送スライダ１５０と連結されているリミッタ部２６０も搬送スライダ１５０とディスクカートリッジ１との間のガタ分しか前方へ移動することが出来ない。そこで、リミッタ部２６０はディスクカートリッジ１が位置決めされた状態からは上記ガタ分移動したところで前方への移動を停止するが、ラック形成部２５０は第２のコイルバネ２６７を圧縮することによって（図５１の状態と図５３の状態との間参照）そこからさらに後方へ移動してからラック歯２５１とピニオンギア２９１との噛合が解除されて停止する。
【００８４】
上記したように、ディスクカートリッジ１が引込み位置まで引き込まれた状態では、ローディングスライダ２２０の第２のコイルバネ２６７が圧縮される（図５３参照）ことによって該第２のコイルバネ２６７の弾発力がリミッタ部２６０を前方へ付勢し、従って、搬送スライダ１５０も前方へ付勢されるので、該搬送スライダ１５０に保持されているディスクカートリッジ１も前方へ付勢されてディスクカートリッジ１の前端が位置決め突起１１９に当接した状態が保たれ（図５２参照）、これによって、ディスクカートリッジ１は引込み位置に正確に位置決めされる。
【００８５】
上記したように、ディスクカートリッジ１が引込み位置に引き込まれた状態では、カートリッジホルダ１２０の連結部材１４０に形成された規制片１４４ａはモードスライダ２１０のカム部２１６のうち高い位置にある前端部２１６ａ上に載置されている（図５４参照）ため、カートリッジホルダ１２０は移動範囲の上端に位置している。そして、ディスクカートリッジ１が引込み位置に正確に位置決めされることによって、ディスクカートリッジ１内の光磁気ディスク１０のコア１１がディスク回転駆動機構２７０のターンテーブル２７２の真上に正確に位置決めされる。
【００８６】
次いで、モードスライダ２１０のみが前方へ向かって移動することによりディスクカートリッジ１の装置本体内へのローディングが完了する。ローディング完了に関して図５５乃至図５８により説明する。モードスライダ２１０が前方へ移動して行くと、モードスライダ２１０に一体に形成されたカム部２１６が前方へ移動して行き、カートリッジホルダ１２０の連結部材１４０に形成された規制片１４４ａの載置されている位置がカム部２１６の前端部２１６ａから傾斜部２１６ｂのほぼ中間の部分に位置するようになる（図５６参照）。これによって、連結部材１４０は引張コイルバネ１１６の付勢力によってベースシャーシ１１０の支持片１１１、１１１に支持された被支持ピン１４２ｂ、１４３ｂを回動中心として前端が下方へ下がるように回動する。そして、カートリッジホルダ１２０の主支持体１３０はその上面が下方へ回動する連結部材１４０の主部１４１の前端によって下方へ押圧され、それによって、該主支持体１３０は、左右の摺動ピン１３６、１３６がベースシャーシ１１０のガイド柱１１２、１１２のガイド溝１１２ａ、１１２ａに案内され、また、前端の連結片１３７がベースシャーシ１１０の前端部に形成された係合片１１３の摺動係合孔１１３ａに案内されて、下降する。従って、カートリッジホルダ１２０に支持されたディスクカートリッジ１も主支持体１３０と共に下降し（図５６参照）、ディスク回転駆動機構２７０のターンテーブル２７２が下降してくるディスクカートリッジ１の挿入口３から相対的にカートリッジケース２内に入っていき、光磁気ディスク１０の中心に取着されたコア１１の嵌合凹部１１ｂに上記ターンテーブル２７２の台部２７２ａが内嵌し、且つ、該台部２７２ａの上面に埋め込まれたチャッキングマグネット２７３が上記コア１１を吸着し、これによって、光磁気ディスク１０がターンテーブル２７２に装着される。
【００８７】
以上のようにして、ローディング、すなわち、ディスクカートリッジ１の装置本体内への引き込みと光磁気ディスク１０のディスク回転駆動機構２７０への装着、が完了する。
【００８８】
このローディングが完了した状態におけるモードスライダ２１０及びローディングスライダ２２０の位置をそれぞれローディング完了位置という。
【００８９】
そして、光磁気ディスク１０に対する信号の再生を行う場合は、上記したようにローディングが完了した状態から直ちに、スピンドルモータ２７１が駆動されて光磁気ディスク１が回転されると共に、光学ピックアップ装置２８１が左右方向へ移動しながら光磁気ディスク１０の信号記録面へのレーザー光の照射とその戻り光の検出が行われ、該光磁気ディスク１０についての信号の再生が為される。
【００９０】
次に、ローディング完了位置から記録位置までの動作を図３９、図４０、図５９乃至図６４により説明する。
【００９１】
光磁気ディスク１０に対する信号の記録が為される場合には、モードスライダ２１０がさらに前方へ移動されオーバーライト用磁気ヘッドがヘッド挿入口５からカートリッジケース２内に入って、光磁気ディスク１０の対物レンズ２８３に対向している部分の裏側（上面）に接触又は近接した状態となる。
【００９２】
次に、図３９及び図４０によりオーバーライトヘッド機構３００について詳細に説明する。
【００９３】
オーバーライトヘッド機構３００は上記ベースシャーシ１１０に設けられている。オーバーライトヘッド機構３００は、連結基体３１０を有する。該連結基体３１０は合成樹脂で形成され、ほぼ上下方向に延びた板状を為し、下端部が上記光学ピックアップ装置２８１のスライドベース２８２の前端部に固定された連結部３１１と該連結部３１１の上端から後方へ突出したヘッド支持部３１２と連結部３１１の上端部右端部から後方へ突出した規制腕３１３とが一体に形成されて成る。規制腕３１３の後端部には左方へ突出した当接部３１３ａが形成されている。
【００９４】
上記連結基体３１０のヘッド支持部３１２に磁気ヘッド装置３２０が支持される。磁気ヘッド装置３２０は、先端側に磁気ヘッド３２１を支持したヘッド支持アーム３２２と、該ヘッド支持アーム３２２の下側を支えるアーム支持板３２３とを備える。ヘッド支持アーム３２２はリン青銅などの弾性を有する薄い金属板を打ち抜いて形成され、基部３２２ａと該基部３２２ａから後方へ向かって突出したアーム部３２２ｂと基部３２２ａの左端部から後方へ向かって突出し上記アーム部３２２ｂより短い弾発部３２２ｃとが一体に形成されて成り、基部３２２ａが上記連結基体３１０のヘッド支持部３１２の上面に固定され、アーム部３２２ｂ及び弾発部３２２ｃが後方且つ下方へ斜めに突出していて、アーム部３２２ｂの先端部に磁気ヘッド３２１が支持されている。
【００９５】
アーム支持板３２３は合成樹脂によって前後方向に長く形成され、前端寄りの部分が上記連結基体のヘッド支持部３１２の先端部の左側面に上下方向へ回動可能に支持されている。アーム支持板３２３の後端には右方へ突出した支持片３２３ａが形成されており、該支持片３２３ａが上記ヘッド支持アーム３２２のアーム部３２２ｂの先端部の下面を支持している。アーム支持板３２３の回動自在に支持された部分の上面からは押え片３２３ｂが右方へ向けて突設されており、該押え片３２３ｂがヘッド支持アーム３２２の基部３２２ａを上側から押さえている。また、アーム支持板３２３の回動自在に支持された部分からやや後方の位置にバネ当て片３２３ｃが形成されており、該バネ当て片３２３ｃの上面にヘッド支持アーム３２２の弾発部３２２ｃの先端部が弾接されている。従って、アーム支持板３２３はヘッド支持アーム３２２の弾発部３２２ｃがバネ当て片３２３ｃに弾接することと支持片３２３ａにヘッド支持アーム３２２のアーム部３２２ｂが弾接することによって後端部が下方へ移動するように付勢されている。アーム支持板３２３の前端部には右方から見てＬ字状をした被操作片３２３ｄが下方へ向けて突設されている。
【００９６】
ベースシャーシ１１０の前端部の右側に偏倚した部分にはヘッドシフト板３３０が上下方向へ回動可能に配置される。ヘッドシフト板３３０は合成樹脂で形成され、ほぼ左右方向に長い板状を為し、左右両側端から前方へ突出した被支持片３３１、３３１がベースシャーシ１１０の前端部に上下方向へ回動可能に支持されている。ヘッドシフト板３３０の左側縁からは左方へ向かって作用ピン３３２が突設されており、該作用ピン３３２はモードスライダ２１０に形成されたカム部２１７の上縁に載置されている。なお、カム部２１７の上縁に載置された作用ピン３３２の直ぐ上には補助片２１７ｄが位置していて作用ピン３３２がカム部２１７の上縁から外れていまわないようになっている。ヘッドシフト板３３０の後端縁には右方から見てほぼ倒立Ｌ字状をした規制片３３３が上方へ向けて突設されており、該規制片３３３の上辺３３３ａの下面に上記磁気ヘッド装置３２０のアーム支持板３２３の被操作片３２３ｄが弾接した状態となっている。
【００９７】
そして、上記したモードスライダ２１０が初期位置からローディング完了位置まで移動する間は、上記ヘッドシフト板３３０の作用ピン３３２はモードスライダ２１０に形成されたカム部２１７の低位部２１７ｂに載置された状態となっており、従って、ヘッドシフト板３３０は後端が下方へ移動した状態となっており、該ヘッドシフト板３３０の規制片３３３によって被操作片３２３ｄが下方に押圧されているアーム支持板３２３は後端が上方へ移動した状態となっており、該アーム支持板３２３の支持片３２３ａによって後端部の下面を支えられているヘッド支持アーム３２２のアーム部３２２ｂの後端部は上方に移動した状態となっており、従って、該ヘッド支持アーム３２２のアーム部３２２ｂの後端部に支持された磁気ヘッド３２１は光磁気ディスク１０には接触又は近接しない位置にある。
【００９８】
光磁気ディスク１０に対する信号の記録を為す場合には、モードスライダ２１０はローディング完了位置からさらに前方へと移動される。モードスライダ２１０がローディング完了位置からさらに前方へと移動して行くに従って、ヘッドシフト板３３０の作用ピン３３２はカム部２１７の上縁を低位部２１７ｂから傾斜部２１７ｃへと相対的に移動して行く（図６３参照）。作用ピン３３２が傾斜部２１７ｃを高位部２１７ａに向かって移動して行くに従って、ヘッドシフト板３３０は作用ピン３３２を介してその後端部が押し上げられるので、規制片３３３が上方へ移動し、従って、アーム支持板３２３がそれに付与されている付勢力によって後端部が下方へ移動するように回動され、これに伴って、ヘッド支持アーム３２２のアーム部３２２ｂの後端部が下方へ移動し、アーム部３２２ｂの後端部に支持されている磁気ヘッド３２１が下方へ移動する（図６３参照）。そして、ヘッドシフト板３３０の作用ピン３３２がカム部２１７の高位部２１７ａに達すると、磁気ヘッド３２１は最も下降した状態となり、ディスクカートリッジ１のヘッド挿入口５からカートリッジケース２内に入り、光磁気ディスク１０の上面のうち光学ピックアップ装置２８０によってレーザー光を照射される部分に対応した位置に接触又は近接した状態となる。この状態で、光磁気ディスク１０の信号記録面に光学ピックアップ装置２８０によって再生時より強めのレーザ光が照射されると共に磁気ヘッド３２１によって磁界が与えられ、これによって、光磁気ディスク１０の信号記録面に新たな信号が記録される。このような信号の記録は光学ピックアップ装置２８０が光磁気ディスク１０の半径方向へ移動しながら為され、磁気ヘッド３２１も光学ピックアップ装置２８０と共に移動される。光磁気ディスク１０に対する信号の記録が終了すると、ローディング駆動部２９０の駆動モータ２９２がアンローディング方向へ駆動され、伝達ギヤ列２９３を介してピニオンギヤ２９１が上方から見て反時計回り方向へ回転する。これによって、先ず、ピニオンギヤ２９１とラック歯２１３が噛合しているモードスライダ２１０が後方へ上記ローディング完了位置へ向けて移動される。モードスライダ２１０がローディング完了位置へ向けて移動するに従って、ヘッドシフト板３３０の作用ピン３３２はモードスライダ２１０のカム部２１７の上縁を高位部２１７ａから傾斜部２１７ｃを経て低位部２１７ｂへと移動する。これによって、ヘッドシフト板３３０は下方へと回動し、規制片３３３が下降するので、該規制片３３３の上辺３３３ａによってアーム支持板３２３の被操作片３２３ｄが下方へ押圧され、これによって、アーム支持板３２３は後端が上方へ移動するように回動される。後端が上方へ移動するように回動するアーム支持板３２３の支持片３２３ａによってヘッド支持アーム３２２のアーム部３２２ｂの後端部が上方へ移動されるので、該ヘッド支持アーム３２２のアーム部３２２ｂの後端部に支持された磁気ヘッド３２１が上方へ移動されて光磁気ディスク１０の上面から上方へ離間する。なお、ヘッド支持アーム３２２は弾性を有する材料で形成されているが、何かの加減で、ヘッド支持アーム３２２のアーム部３２２ｂの後端部をさらに上方へと移動させようとする力が働いても、ヘッド支持アーム３２２のアーム部３２２ｂの後端部の直ぐ上側には連結基体３１０の規制腕３１３の当接部３１３ａが位置していて、該当接部３１３ａにヘッド支持アーム３２２のアーム部３２２ｂの後端部が当接するので、アーム部３２２ｂの後端部が必要以上に上方へ移動してしまうことはない。
【００９９】
以上のようにして、モードスライダ２１０が移動範囲の前端からローディング完了位置まで移動する間に、磁気ヘッド３２１は光磁気ディスク１０の上面から離れ、カートリッジケース２から上方へ抜け出ていって待機位置に戻される。
【０１００】
次に、ディスクカートリッジ１の取出、すなわち、イジェクトについて説明する。
【０１０１】
ディスクカートリッジ１を取り出すための操作、すなわち、イジェクト操作が為されると、ローディング駆動部２９０の駆動モータ２９２がアンローディング方向へ駆動され、伝達ギヤ列２９３を介してピニオンギヤ２９１が上方から見て反時計回り方向へ回転する。これによって、先ず、ピニオンギヤ２９１とラック歯２１３が噛合しているモードスライダ２１０が後方へ上記初期位置へ向けて移動されていく。モードスライダ２１０が初期位置に向かって移動して行くに従って、カートリッジホルダ１２０の連結部材１４０の規制片１４４ａがモードスライダ２１０のもう一つのカム部２１６の傾斜部２１６ａを経て後端部２１６ｂに達する。規制片１４４ａがカム部２１６の傾斜部２１６ａを経て後端部２１６ｂに達する間に、連結部材１４０は引張コイルバネ１１６の付勢力に抗して前端が上方へ移動するように回動し、その規制片１４４ａがカートリッジホルダ１２０の主支持体１３０の後端寄りの部分の下面を上方へ押圧する。これによって、主支持体１３０は上方へ移動する。カートリッジホルダ１２０の主支持体１３０の上方への移動に伴って、光磁気ディスク１０のコア１１はディスク回転駆動機構２７０のターンテーブル２７２から上方へ離間する。
【０１０２】
そして、モードスライダ２１０が初期位置の直前まで移動して来ると、モードスライダ２１０の前側の被押え片２１１ｂの後端がローディングスライダ２２０の突片２６５の前縁に当接する。そして、そこからモードスライダ２１０が初期位置に到達するまでの間にローディングスライダ２２０が僅かに後方へ移動してそのラック歯２５１がローディング駆動部２９０のピニオンギヤ２９１と噛合し、また、ロック片２３０のロックピン２３１がローディングスライダ２２０の突条２５５の後端の傾斜面２５５ｂによって左方へ押されてモードスライダ２１０の係合切欠２１４に係合され、モードスライダ２１０は初期位置にロックされる。そして、そこからは、ローディングスライダ２２０はそのラック歯２５１がピニオンギヤ２９１によって送られることによって後方へ、すなわち、初期位置に向かって移動されていく。
【０１０３】
ローディングスライダ２２０が初期位置に向かって移動して行くと、ローディングスライダ２２０と連結柱２６４及び連結片１５７を介して連結されている搬送スライダ１５０が後方へ、すなわち、待機位置へ向かって移動される。搬送スライダ１５０が待機位置へ向かって移動して行く間に、ディスクカートリッジ１の開放位置にあったシャッター６はその係合孔６ｄに係合しているシャッター閉塞片１６２によって相対的に前方へ引っ張られ、閉塞位置へ向けて移動されていく。シャッター６が閉塞位置に戻ると、シャッター閉塞片１６２の前側の傾斜縁１６２ａが係合孔６ｄの前側の開口縁を滑って右方へ移動して係合孔６ｄとの係合が解除され、シャッター閉塞片１６２はそのままシャッター６の中間部６ｃの外（右）側面を滑って相対的に前方へ移動して行き、やがて、シャッタ６から外れる。
【０１０４】
そして、搬送スライダ２２０が待機位置に達すると、ローディングスライダ２２０も初期位置に達し、ローディング駆動部２９０の駆動モータ２９２が停止する。ローディングスライダ２２０が初期位置に達すると、リミッタ部２６０の突片２６５の下端部２６５ａがベースシャーシ１１０に設けられたストッパ２６８に当接して後方への移動が停止され、且つ、リミッタ部２６０の突片２６５の下端部２６５ａがスイッチ２６９の操作子２６９ａを押圧し、これによって、ローディングスライダ２２０が初期位置に達したことが検知され、それから、ラック形成部２５０が僅かにオーバーストロークされてから駆動モータ２９２が停止する。そして、ラック形成部２５０がオーバーストロークされる間に、第１のコイルバネ２６６が圧縮され、これによって、リミッタ部２６０が後方へ弾発的に付勢され、従って、搬送スライダ１５０が待機位置に確実に保持される。また、搬送スライダ１５０を待機位置まで確実に移動させながら、コイルバネ２６６、２６７によってローディングスライダ２２０や搬送スライダ１５０あるいはピニオンギア２９１を含むローディング駆動部２９０の破損が防止される。
【０１０５】
そして、搬送スライダ１５０が待機位置に達すると、ディスクカートリッジ１は前端部を除いた大部分がカートリッジホルダ１２０の後端から突出されるので、該突出した部分を把持してカートリッジホルダ１２０から引き出せば、ロックレバー１８０の係合突起１８３ｂ及びクリック部材１９０の係合突起１９３がそれぞれディスクカートリッジ１の切欠９、９から抜け出し、ディスクカートリッジ１をそのままカートリッジホルダ１２０外に引き出すことができる。
【０１０６】
ディスクカートリッジ１がカートリッジホルダ１２０から引き出されると、ロックレバー１８０は上方から見て時計回り方向、すなわち、図中矢印ＣＷ方向へ回動して、第１の腕片１８１のロックピン１８１ａが主支持体１３０の摺動溝１３２の後端に形成されたロック部１３２ａに係合し、第３の腕片１８３のロック突起１９３ａが左側面壁１３０ｃに形成された係合孔１３０ｄに係合し、さらに、ロック部材１７０が下方に回動してそのロック爪１７３が搬送スライダ１５０の被ロック孔１５６ａに係合し、これらによって、搬送スライダ１５０は待機位置にロックされる。
【０１０７】
上記したディスク記録再生装置１００にあっては、ディスクカートリッジ１の引込み位置への位置決めがディスクカートリッジ１の挿入側端部に当接する位置決め突起１１９によって直接的に為されるので、搬送スライダ１５０のようなカートリッジ搬送部材を介して間接的に位置決めされるものに比較して、カートリッジ搬送部材との間に不可避的に存在するガタが位置決めに影響することがなく、ディスクカートリッジ１が引込み位置に正確に位置決めされる。従って、ディスク装着部であるターンテーブル２７２への装着が確実に為され、装着ミスが生じる惧が減少する。しかも、引込み位置においてローディングスライダ２２０のラック形成部２５０が搬送スライダ１５０と連結された中間連結部材であるリミッタ部２６０に対してオーバーストロークされることによって圧縮された第２のコイルバネ２６７の弾発力が搬送スライダ１５０を介してディスクカートリッジ１を位置決め突起１１９側へ付勢するので、ディスクカートリッジ１が引込み位置に位置決めされた状態が確実に保持される。
【０１０８】
また、初期位置においてはローディングスライダ２２０のラック形成部２５０がリミッタ部２６０に対してオーバーストロークされて、第１のコイルバネ２６６が圧縮され、該第１のコイルバネ２６６によってリミッタ部２６０及び搬送スライダ１５０が初期位置に止まる方向に弾発的に付勢されるため、搬送スライダ１５０が初期位置に確実に保持される。
【０１０９】
さらに、ローディングスライダ２２０のラック形成部２５０とリミッタ部２６０とは２つのコイルバネ２６６、２６７を介して連結されているため、搬送スライダ１５０を介してリミッタ部２６０にかかる過剰な負荷がコイルバネ２６６、２６７によって吸収されて、ローディングスライダ２２０や搬送スライダ１５０あるいはローディング駆動部２９０の破損が防止される。
【０１１０】
さらにまた、ローディングスライダ２２０を２つのコイルバネ２６６、２６７によって連結されたラック形成部２５０とリミッタ部２６０とで構成したので、ディスクカートリッジ１の挿入によるリミッタ部２６０の挿入方向への移動を検知することによってディスクカートリッジ１の挿入を検出することが可能になり、ディスクカートリッジ１の挿入を検知する検知手段をローディングスライダ２２０の初期位置への到達を検知する手段と共通化することが出来、それによって、ディスクカートリッジ１の挿入を検知する機構を簡素化することが出来る。
【０１１１】
なお、上記した実施の形態では本発明記録及び／又は再生装置を光磁気ディスク１０を平面形状が四角形で扁平なカートリッジケース２内に回転可能に収納して成る光磁気ディスクカートリッジ１を使用して、上記光磁気ディスク１０に対する記録及び再生を行う記録再生装置に適用したものを示したが、光磁気ディスクカートリッジ以外のものでも、記録媒体をケース内に収納して成るカートリッジを使用して記録のみを行う装置、再生のみを行う装置又は記録及び再生を行う装置に広く適用することが可能である。
【０１１２】
また、上記した実施の形態において示した各部の形状及び構造は、何れも本発明を実施するに際して行う具体化のほんの一例を示したものに過ぎず、これらによって、本発明の技術的範囲が限定的に解釈されるようなことがあってはならないものである。
【０１１３】
【発明の効果】
以上に記載したところから明らかなように、本発明ローディング機構は、記録媒体をケース内に収納して成るカートリッジを所定の装着部に装着するためのローディング機構であって、挿入されるカートリッジを保持するカートリッジ搬送部材と、上記カートリッジの挿入方向に移動可能なスライダと、上記カートリッジ搬送部材に係合され、上記スライダの上記挿入方向における一端側から延在される第１の付勢手段に一方が支持されると共に上記スライダの上記挿入方向における他端側から延在される第２の付勢手段に他方が支持されて上記スライダに保持される中間連結部材と、上記スライダの移動に伴い上記中間連結部材を介して移動されるカートリッジ搬送部材内のカートリッジの挿入側側面に当接して当該カートリッジを所定の引込み位置に位置決めする位置決め手段とを備えることを特徴とする。
【０１１４】
従って、本発明ローディング機構にあっては、カートリッジがカートリッジ搬送部材を介してではなく、位置決め手段によって直接引込み位置に位置決めされるので、カートリッジの引込み位置への位置決め不良に起因する装着ミスを無くすことが出来る。
【０１１５】
請求項２に記載した発明にあっては、上記カートリッジ搬送部材は、上記カートリッジと共に上記スライダと一体で上記挿入方向に移動される上記中間連結部材により上記引き込み位置まで搬送され、上記スライダは、上記位置決め手段が上記カートリッジに当接する上記引き込み位置まで上記カートリッジを搬送し、さらなる移動制御により上記第２の付勢手段による付勢力に反してオーバーストロークされるので、スライダがオーバーストロークされることによってさらに大きくされた第２の付勢手段の付勢力がカートリッジ搬送部材を介してカートリッジを位置決め手段側へ付勢するので、カートリッジが引込み位置に位置決めされた状態が確実に保持される。また、何らかの事情により中間連結部材に大きな負荷がかかった場合でも該負荷が第２の付勢手段によって吸収されるため、カートリッジ搬送部材、中間連結部材、スライダ、スライダを駆動する駆動部等の破損が防止される。
【０１１６】
請求項３に記載した発明にあっては、上記カートリッジ搬送部材が上記カートリッジの挿入を受け入れるイジェクト位置に到達したときに上記中間連結部材に当接して該中間連結部材の上記挿入方向と反対方向へのさらなる移動を阻止するストッパを有し、上記スライダは、上記中間連結部材をストッパに当接する位置まで上記挿入方向と反対の方向へ搬送し、さらに上記第１の付勢手段による付勢力に反して上記挿入方向と反対の方向へオーバーストロークされるので、スライダのオーバーストロークによって大きくされた第１の付勢手段の付勢力が中間連結部材及びカートリッジ搬送部材を初期位置方向に弾発的に付勢するため、カートリッジが初期位置に確実に保持される。また、何らかの事情により中間連結部材に大きな負荷がかかった場合でも該負荷が第２の付勢手段によって吸収されるため、カートリッジ搬送部材、中間連結部材、スライダ、スライダを駆動する駆動部等の破損が防止される。
【０１１７】
請求項４に記載した発明にあっては、上記中間連結部材に近接配置され、上記カートリッジ搬送部材を介してのカートリッジの挿入による中間連結部材の移動により当該カートリッジの挿入を検出する検出手段を備え、上記スライダは、上記検出手段による検出結果に応じて上記第１及び第２の付勢手段により保持される上記中間連結部材と共に上記挿入方向に移動制御されるので、カートリッジの挿入を確実に検知してスライダを駆動制御することが出来る。
【０１１８】
また、本発明記録及び／又は再生装置は、記録媒体をケース内に収納して成るカートリッジを使用して当該記録媒体に対する信号の記録及び／又は再生を行う記録及び／又は再生装置であって、上記記録媒体に対して信号の記録及び／又は再生を行う記録及び／又は再生手段と、上記カートリッジを所定の装着部に装着するためのローディング機構とを備え、上記ローディング機構は、挿入されるカートリッジを保持するカートリッジ搬送部材と、上記カートリッジの挿入方向に移動可能なスライダと、上記カートリッジ搬送部材に係合され、上記スライダの上記挿入方向における一端側から延在される第１の付勢手段に一方が支持されると共に上記スライダの上記挿入方向における他端側から延在される第２の付勢手段に他方が支持されて上記スライダに保持される中間連結部材と、上記スライダの移動に伴い上記中間連結部材を介して移動されるカートリッジ搬送部材内のカートリッジの挿入側側面に当接して当該カートリッジを所定の引込み位置に位置決めする位置決め手段とを備えることを特徴とする。
【０１１９】
従って、本発明記録及び／又は再生装置にあっては、カートリッジがカートリッジ搬送部材を介してではなく、位置決め手段によって直接引込み位置に位置決めされるので、カートリッジの引込み位置への位置決め不良に起因する装着ミスを無くすことが出来る。
【０１２０】
請求項６に記載した発明にあっては、上記カートリッジ搬送部材は、上記カートリッジと共に上記スライダと一体で上記挿入方向に移動される上記中間連結部材により上記引き込み位置まで搬送され、上記スライダは、上記位置決め手段が上記カートリッジに当接する上記引き込み位置まで上記カートリッジを搬送し、さらなる移動制御により上記第２の付勢手段による付勢力に反してオーバーストロークされるので、スライダがオーバーストロークされることによってさらに大きくされた第２の付勢手段の付勢力がカートリッジ搬送部材を介してカートリッジを位置決手段側へ付勢するので、カートリッジが引込み位置に位置決めされた状態が確実に保持される。また、何らかの事情により中間連結部材に大きな負荷がかかった場合でも該負荷が第２の付勢手段によって吸収されるため、カートリッジ搬送部材、中間連結部材、スライダ、スライダを駆動する駆動部等の破損が防止される。
【０１２１】
請求項７に記載した発明にあっては、上記カートリッジ搬送部材が上記カートリッジの挿入を受け入れるイジェクト位置に到達したときに上記中間連結部材に当接して該中間連結部材の上記挿入方向と反対方向へのさらなる移動を阻止するストッパを有し、上記スライダは、上記中間連結部材をストッパに当接する位置まで上記挿入方向と反対の方向へ搬送し、さらに上記第１の付勢手段による付勢力に反して上記挿入方向と反対の方向へオーバーストロークされるので、スライダのオーバーストロークによって大きくされた第１の付勢手段の付勢力が中間連結部材及びカートリッジ搬送部材を初期位置方向に弾発的に付勢するため、カートリッジが初期位置に確実に保持される。また、何らかの事情により中間連結部材に大きな負荷がかかった場合でも該負荷が第２の付勢手段によって吸収されるため、カートリッジ搬送部材、中間連結部材、スライダ、スライダを駆動する駆動部等の破損が防止される。
【０１２２】
請求項８に記載した発明にあっては、上記中間連結部材に近接配置され、上記カートリッジ搬送部材を介してのカートリッジの挿入による中間連結部材の移動により当該カートリッジの挿入を検出する検出手段を備え、上記スライダは、上記検出手段による検出結果に応じて上記第１及び第２の付勢手段により保持される上記中間連結部材と共に上記挿入方向に移動制御されるので、カートリッジの挿入を確実に検知してスライダを駆動制御することが出来る。
【図面の簡単な説明】
【図１】図２と共に記録再生装置において使用する記録媒体カートリッジである光磁気ディスクカートリッジを示すものであり、本図は上方斜め前方から見た斜視図である。
【図２】シャッターが開放位置にある状態を下方から見た斜視図である。
【図３】図４乃至図６４と共にディスク記録再生装置を示すものであり、本図は全体の平面図である。
【図４】全体の左側面図である。
【図５】全体の右側面図である。
【図６】図７乃至図９と共にカートリッジホルダを示すものであり、本図は平面図である。
【図７】底面図である。
【図８】後面図である。
【図９】図６のＩＸ−ＩＸ線に沿う拡大断面図である。
【図１０】図１１と共に主支持体を示すものであり、本図は平面図である。
【図１１】底面図である。
【図１２】図１３と共に連結部材を示すものであり、本図は平面図である。
【図１３】底面図である。
【図１４】図１５及び図１６と共に搬送スライダを示すものであり、本図は平面図である。
【図１５】底面図である。
【図１６】前面図である。
【図１７】図１８乃至図２５と共にディスクカートリッジがカートリッジホルダに挿入される様子を示すものであり、本図はディスクカートリッジが正規の向きで挿入され、ロック部材によるロックが解除された状態のカートリッジホルダの平面図である。
【図１８】図１７のＸＶＩＩＩ−ＸＶＩＩＩ線に沿う拡大断面図である。
【図１９】ディスクカートリッジが正規の向きで挿入され、ロックレバーによるロックが解除された状態のカートリッジホルダの一部切欠平面図である。
【図２０】ディスクカートリッジが正規の向きで挿入され、ディスクカートリッジが完全にカートリッジホルダに引き込まれた状態の平面図である。
【図２１】ディスクカートリッジが前後逆の向きで挿入された場合におけるカートリッジホルダの底面図である。
【図２２】図２１のＸＸＩＩ−ＸＸＩＩ線に沿う拡大断面図である。
【図２３】ディスクカートリッジが上下逆の向きで挿入された場合におけるカートリッジホルダの底面図である。
【図２４】図２３のＸＸＩＶ−ＸＸＩＶ線に沿う拡大断面図である。
【図２５】ディスクカートリッジが側面が前方を向いた向きで挿入された場合におけるカートリッジホルダの底面図である。
【図２６】図２７乃至図３０と共に装置本体部を示すものであり、本図は平面図である。
【図２７】左側面図である。
【図２８】右側面図である。
【図２９】底面図である。
【図３０】図２６のＸＸＸ−ＸＸＸ線に沿う断面図である。
【図３１】図３２と共にモードスライダを示すものであり、本図は平面図である。
【図３２】右側面図である。
【図３３】ローディングスライダの平面図である。
【図３４】図３５及び図３６と共にローディングスライダのラック形成部を示すものであり、本図は平面図である。
【図３５】底面図である。
【図３６】左側面図である。
【図３７】図３８と共にローディングスライダのリミッタ部を示すものであり、本図は平面図である。
【図３８】右側面図である。
【図３９】待機位置にあるオーバーライトヘッド機構を示す左側面図である。
【図４０】記録位置にあるオーバーライトヘッド機構を示す左側面図である。
【図４１】モード形成機構が初期位置にある状態における要部を示す平面図である。
【図４２】モード形成機構が初期位置にある状態における要部を示す左側面図である。
【図４３】モード形成機構が初期位置にある状態における別の要部を示す左側面図である。
【図４４】初期位置にある状態における２つのスライダの平面図である。
【図４５】初期位置にある状態におけるローディングスライダとスイッチとストッパとの関係を示す側面図である。
【図４６】図４７と共にディスクカートリッジの挿入が検知された状態を示すものであり、本図はローディングスライダの平面図である。
【図４７】ローディングスライダとスイッチとストッパとの関係を示す側面図である。
【図４８】初期位置から引込み位置に向かう途中における２つのスライダの平面図である。
【図４９】初期位置から引込み位置に向かう途中であって図４８より引込み位置に近づいた状態における２つのスライダの平面図である。
【図５０】ディスクカートリッジの引込み完了直前の状態を示す要部の断面図である。
【図５１】ディスクカートリッジの引込み完了直前における２つのスライダの平面図である。
【図５２】ディスクカートリッジの引込みが完了した状態を示す要部の断面図である。
【図５３】ディスクカートリッジの引込みが完了した状態における２つのスライダの平面図である。
【図５４】ディスクカートリッジの引込みが完了した状態における別の要部の左側面図である。
【図５５】モード形成機構がローディング完了位置にある状態における要部を示す平面図である。
【図５６】モード形成機構がローディング完了位置にある状態における要部を示す左側面図である。
【図５７】モード形成機構がローディング完了位置にある状態における別の要部を示す左側面図である。
【図５８】ローディング完了位置にある状態における２つのスライダの平面図である。
【図５９】ローディング完了位置から記録位置に向かう途中における２つのスライダの平面図である。
【図６０】ローディング完了位置から記録位置に向かう途中であって図５９より記録位置に近づいた状態における２つのスライダの平面図である。
【図６１】モード形成機構が記録位置にある状態における要部を示す平面図である。
【図６２】モード形成機構が記録位置にある状態における要部を示す左側面図である。
【図６３】モード形成機構が記録位置にある状態における別の要部を示す左側面図である。
【図６４】記録位置にある状態における２つのスライダの平面図である。
【符号の説明】
１…ディスクカートリッジ（カートリッジ）、２…カートリッジケース（ケース）、１０…光磁気ディスク（記録媒体）、１００…ディスク記録再生装置（記録及び／又は再生装置）、１１９…位置決め突起（位置決め手段）、１５０…搬送スライダ（カートリッジ搬送部材）、２５０…ラック形成部（スライダ）、２６０…リミッタ部（中間連結部材）、２６６…第１のコイルバネ（第１の付勢手段）、２６７…第２のコイルバネ（第２の付勢手段）、２６８…ストッパ、２６９…スイッチ（検出手段）、２７０…ディスク回転駆動機構（記録及び再生手段）、２７２…ターンテーブル（装着部）、２８０…光学ピックアップ機構（記録及び再生手段）、３００…オーバーライトヘッド機構（記録手段）
【図１】
0004470088.tif 000002
【図２】
0004470088.tif 000003
【図３】
0004470088.tif 000004
【図４】
0004470088.tif 000005
【図５】
0004470088.tif 000006
【図６】
0004470088.tif 000007
【図７】
0004470088.tif 000008
【図８】
0004470088.tif 000009
【図９】
0004470088.tif 000010
【図１０】
0004470088.tif 000011
【図１１】
0004470088.tif 000012
【図１２】
0004470088.tif 000013
【図１３】
0004470088.tif 000014
【図１４】
0004470088.tif 000015
【図１５】
0004470088.tif 000016
【図１６】
0004470088.tif 000017
【図１７】
0004470088.tif 000018
【図１８】
0004470088.tif 000019
【図１９】
0004470088.tif 000020
【図２０】
0004470088.tif 000021
【図２１】
0004470088.tif 000022
【図２２】
0004470088.tif 000023
【図２３】
0004470088.tif 000024
【図２４】
0004470088.tif 000025
【図２５】
0004470088.tif 000026
【図２６】
0004470088.tif 000027
【図２７】
0004470088.tif 000028
【図２８】
0004470088.tif 000029
【図２９】
0004470088.tif 000030
【図３０】
0004470088.tif 000031
【図３１】
0004470088.tif 000032
【図３２】
0004470088.tif 000033
【図３３】
0004470088.tif 000034
【図３４】
0004470088.tif 000035
【図３５】
0004470088.tif 000036
【図３６】
0004470088.tif 000037
【図３７】
0004470088.tif 000038
【図３８】
0004470088.tif 000039
【図３９】
0004470088.tif 000040
【図４０】
0004470088.tif 000041
【図４１】
0004470088.tif 000042
【図４２】
0004470088.tif 000043
【図４３】
0004470088.tif 000044
【図４４】
0004470088.tif 000045
【図４５】
0004470088.tif 000046
【図４６】
0004470088.tif 000047
【図４７】
0004470088.tif 000048
【図４８】
0004470088.tif 000049
【図４９】
0004470088.tif 000050
【図５０】
0004470088.tif 000051
【図５１】
0004470088.tif 000052
【図５２】
0004470088.tif 000053
【図５３】
0004470088.tif 000054
【図５４】
0004470088.tif 000055
【図５５】
0004470088.tif 000056
【図５６】
0004470088.tif 000057
【図５７】
0004470088.tif 000058
【図５８】
0004470088.tif 000059
【図５９】
0004470088.tif 000060
【図６０】
0004470088.tif 000061
【図６１】
0004470088.tif 000062
【図６２】
0004470088.tif 000063
【図６３】
0004470088.tif 000064
【図６４】
0004470088.tif 000065